(57)【特許請求の範囲】
【請求項１】
複数のコアを有するマルチコア光ファイバと、
複数の前記コアの内、互いの距離が最も近い隣接する２つのコアに対して、同一波長に対して異なる種類の変調信号を異なる光パワーで出力する複数の光送信装置と
を備えることを特徴とする光伝送システム。
【請求項２】
前記光送信装置は、互いの距離が最も近い隣接する前記２つのコアに対して、前記異なる種類の変調信号を含む波長多重信号を出力することを特徴とする請求項１に記載の光伝送システム。
【請求項３】
前記光送信装置は、光信号対雑音比に応じて前記光パワーに差をつけて前記異なる種類の変調信号を出力することを特徴とする請求項２に記載の光伝送システム。
【請求項４】
前記光送信装置は、前記異なる種類の変調信号の伝送特性マージンを一定にすることを特徴とする請求項２に記載の光伝送システム。
【請求項５】
前記光送信装置は、前記異なる種類の変調信号を時系列的に交互に配置して前記波長多重信号を出力することを特徴とする請求項２に記載の光伝送システム。
【発明の詳細な説明】
【技術分野】
【０００１】
本発明は、大容量光通信に用いられる光伝送システムに関する。
【背景技術】
【０００２】
通信トラフィックの増大に伴い、基幹伝送システムでは近い将来に伝送容量が不足することが予想されている。従来は、高密度に波長多重してチャネル数を増やすことにより伝送容量を増大させ、又は伝送速度の高速化や変調信号の多値化により１チャネル当たりの伝送容量を増大させてきた。【０００３】
さらなる伝送容量を増大させる方法として、マルチコア光ファイバを使った光信号の空間多重化が注目を集めている。１本のマルチコア光ファイバに複数のコアを配置し、複数のコアのそれぞれに異なる種類の光信号を配置することで多重化し、コア単位で伝送容量を増大させることが可能となる。マルチコア光ファイバを使った空間多重方式では、コアの数が増加する程、伝送容量が増加するが、複数のコアを互いに近づけて配置する必要があり、隣接するコア間で生じるクロストークにより光信号が劣化するという課題があった。【０００４】
特許文献１には、マルチコア光ファイバに配置される複数のコアの内、最も隣接するコアのそれぞれに対して互いに異なる波長の信号光を入力することで、隣接するコア間で生じるクロストークの影響を抑制する方法が開示される。【０００５】
特許文献２には、マルチコア光ファイバに配置される複数のコアの内、最も隣接するコアに対して、光信号を逆方向に伝送することによって、隣接するコア間で生じるクロストークの影響を抑制する方法が開示される。
【先行技術文献】
【特許文献】
【０００６】
【特許文献１】国際公開第２０１２／１３７７８９号
【特許文献２】国際公開第２０１３／１５７２４５号
【発明の概要】
【発明が解決しようとする課題】
【０００７】
しかしながら、特許文献１に開示される方法では、運用している信号帯域のうち、信号光を配置しない空き帯域を設けておく必要があり、システムの最大容量を小さくしてしまうという課題があった。また特許文献２に開示される方法では、光伝送路中継部において複数の光アンプ及び信号合分波器が必要なため、光伝送システムの構成が多くなり、システム全体のコストが増加すると共に光伝送システム全体の消費電力が増大するという課題があった。【０００８】
本発明は、上記に鑑みてなされたものであって、マルチコア光ファイバ伝送におけるコア間クロストークによる信号の劣化を抑制しつつ、空き帯域を有効利用できる光伝送システムを得ることを目的とする。
【課題を解決するための手段】
【０００９】
上述した課題を解決し、目的を達成するために、本発明は、複数のコアを有するマルチコア光ファイバと、複数のコアの内、互いの距離が最も近い隣接する２つのコアに対して、同一波長に対して異なる種類の変調信号を異なる光パワーで出力する複数の光送信装置とを備えることを特徴とする光伝送システム。
【発明の効果】
【００１０】
本発明に係る光伝送システムは、マルチコア光ファイバ伝送におけるコア間クロストークによる信号の劣化を抑制しつつ、空き帯域を有効利用できるという効果を奏する。
【図面の簡単な説明】
【００１１】
【図１】本発明の実施の形態１に係る光伝送システムの構成図
【図２】実施の形態１に係る光伝送システムが備えるマルチコア光ファイバ内の複数のコアに伝送される変調信号と、変調信号に割り当てられる周波数との関係を示す図
【図３】本発明の実施の形態２に係る光伝送システムの構成図
【図４】実施の形態２に係る光伝送システムが備えるマルチコア光ファイバ内の複数のコアに伝送される信号光のスペクトルの一例を示す図
【発明を実施するための形態】
【００１２】
以下に、本発明の実施の形態に係る光伝送システムを図面に基づいて詳細に説明する。なお、この実施の形態によりこの発明が限定されるものではない。
【００１３】
実施の形態１．
図１は本発明の実施の形態１に係る光伝送システムの構成図である。図１に示すように実施の形態１に係る光伝送システム１００は、マルチコア光ファイバ２００１及び不図示の光中継器等から構成される光伝送部２０００と、複数の光送信装置１０００，１１００と、複数の光受信装置３０００，３１００とを備える。
【００１４】
マルチコア光ファイバ２００１は、第１のコア２１００と、第２のコア２２００と、第１のコア２１００及び第２のコア２２００の外周部に形成されるクラッド２３００とを備える。第１のコア２１００、第２のコア２２００及びクラッド２３００は石英系ガラスで構成され、クラッド２３００の屈折率は、第１のコア２１００、第２のコア２２００のそれぞれの屈折率よりも低い。マルチコア光ファイバ２００１は、第１のコア２１００と第２のコア２２００とクラッド２３００との相互間に空孔構造が無い中実構造であり、所謂ソリッド型のマルチコア光ファイバである。
【００１５】
光送信装置１０００は、第１の変調信号１を生成する複数の第１の光送信器１０１０，１０１３と、第２の変調信号２を生成する複数の第２の光送信器１０１１，１０１４と、第３の変調信号３を生成する第３の光送信器１０１２と、これらの光送信器のそれぞれで生成された信号光を合波して出力する光合波器１０２０とを備える。なお光送信装置１０００が備える光送信器の数は５つに限定されず、２つ以上であればよい。以下では「第１の光送信器１０１０，１０１３、第２の光送信器１０１１，１０１４及び第３の光送信器１０１２」を単に「複数の光送信器１０１０から１０１４」と称する場合がある。図中の「TX」はTransmitterを表す。
【００１６】
第１の光送信器１０１０で生成される第１の変調信号１には、第１のチャネルを示す番号「Ｃｈ１」が割り当てられる。第２の光送信器１０１１で生成される第２の変調信号２には、第２のチャネルを示す番号「Ｃｈ２」が割り当てられる。第３の光送信器１０１２で生成される第３の変調信号３には、第３のチャネルを示す番号「Ｃｈ３」が割り当てられる。第１の光送信器１０１３で生成される第１の変調信号１には、第４のチャネルを示す番号「Ｃｈ４」が割り当てられる。第２の光送信器１０１４で生成される第２の変調信号２には、第５のチャネルを示す番号「Ｃｈ５」が割り当てられる。
【００１７】
光合波器１０２０は、複数の光送信器１０１０から１０１４のそれぞれから出力される波長の異なる信号光を波長多重化して第１のコア２１００へ出力する。
【００１８】
光送信装置１１００は、第１の変調信号１を生成する第１の光送信器１１１１，１１１４と、第２の変調信号２を生成する第２の光送信器１１１２と、第３の変調信号３を生成する複数の第３の光送信器１１１０，１１１３と、これらの光送信器のそれぞれで生成された信号光を合波して出力する光合波器１１２０とを備える。なお光送信装置１１００が備える光送信器の数は５つに限定されず、２つ以上であればよい。以下では「第１の光送信器１１１１，１１１４、第２の光送信器１１１２及び第３の光送信器１１１０，１１１３」を単に「複数の光送信器１１１０から１１１４」と称する場合がある。
【００１９】
第３の光送信器１１１０で生成される第３の変調信号３には、第１のチャネルを示す番号「Ｃｈ１」が割り当てられる。第１の光送信器１１１１で生成される第１の変調信号１には、第２のチャネルを示す番号「Ｃｈ２」が割り当てられる。第２の光送信器１１１２で生成される第２の変調信号２には、第３のチャネルを示す番号「Ｃｈ３」が割り当てられる。第３の光送信器１１１３で生成される第３の変調信号３には、第４のチャネルを示す番号「Ｃｈ４」が割り当てられる。第１の光送信器１１１４で生成される第１の変調信号１には、第５のチャネルを示す番号「Ｃｈ５」が割り当てられる。
【００２０】
光合波器１１２０は、複数の光送信器１１１０から１１１４のそれぞれから出力される波長の異なる信号光を波長多重化して第２のコア２２００へ出力する。
【００２１】
光受信装置３０００は、光合波器１０２０で多重化された信号光を分波する光分波器３０２０と、分波された信号光から第１の変調信号１を復調する複数の第１の光受信器３０１０，３０１３と、分波された信号光から第２の変調信号２を復調する複数の第２の光受信器３０１１，３０１４と、分波された信号光から第３の変調信号３を復調する第３の光受信器３０１２とを備える。なお光受信装置３０００が備える光受信器の数は、光送信装置１０００が備える光送信器の数と同数であればよい。図中の「RX」はReceiverを表す。
【００２２】
光受信装置３１００は、光合波器１１２０で多重化された信号光を分波する光分波器３１２０と、分波された信号光から第１の変調信号１を復調する複数の第１の光受信器３１１１，３１１４と、分波された信号光から第２の変調信号２を復調する複数の第２の光受信器３１１２と、分波された信号光から第３の変調信号３を復調する第３の光受信器３１１０，３１１３とを備える。なお光受信装置３１００が備える光受信器の数は、光送信装置１１００が備える光送信器の数と同数であればよい。
【００２３】
次に実施の形態１に係る光伝送システム１００の動作について説明する。図２は実施の形態１に係る光伝送システムが備えるマルチコア光ファイバ内の複数のコアに伝送される変調信号と、変調信号に割り当てられる周波数との関係を示す図である。変調信号に割り当てられる周波数「ｆ１」、「ｆ２」、「ｆ３」、「ｆ４」、「ｆ５」は互いに異なる値である。これらの周波数は、「ｆ１」、「ｆ２」、「ｆ３」、「ｆ４」、「ｆ５」の順で高い値となる。
【００２４】
「コア１」は、図１に示す第１のコア２１００を示す。「コア２」は、図１に示す第２のコア２２００を示す。
【００２５】
「コア１」に伝送される「ｆ１」の「変調信号１」は、図１に示す第１の光送信器１０１０で生成される第１の変調信号１を示す。「コア１」に伝送される「ｆ２」の「変調信号２」は、図１に示す第２の光送信器１０１１で生成される第２の変調信号２を示す。「コア１」に伝送される「ｆ３」の「変調信号３」は、図１に示す第３の光送信器１０１２で生成される第３の変調信号３を示す。「コア１」に伝送される「ｆ４」の「変調信号１」は、図１に示す第１の光送信器１０１３で生成される第１の変調信号１を示す。「コア１」に伝送される「ｆ５」の「変調信号２」は、図１に示す第２の光送信器１０１４で生成される第２の変調信号２を示す。
【００２６】
「コア２」に伝送される「ｆ１」の「変調信号３」は、図１に示す第３の光送信器１１１０で生成される第３の変調信号３を示す。「コア２」に伝送される「ｆ２」の「変調信号１」は、図１に示す第１の光送信器１１１１で生成される第１の変調信号１を示す。「コア２」に伝送される「ｆ３」の「変調信号２」は、図１に示す第２の光送信器１１１２で生成される第２の変調信号２を示す。「コア２」に伝送される「ｆ４」の「変調信号３」は、図１に示す第３の光送信器１１１３で生成される第３の変調信号３を示す。「コア２」に伝送される「ｆ５」の「変調信号１」は、図１に示す第１の光送信器１１１４で生成される第１の変調信号１を示す。
【００２７】
ここで、光伝送システム１００では、ＢａｕｄＲａｔｅが一定の条件で多値度を２倍にすると、同一の信号特性を得るために必要な光信号対雑音比ＯＳＮＲ(Optical  Signal  to  Noise  Ratio)が２倍以上、すなわち３ｄＢ以上必要となる。そのため、上記の各変調信号を出力する光強度すなわち光パワーも２倍の値にする必要がある。
【００２８】
一般的に、変調される信号の種類、変調の多値度、ＢａｕｄＲａｔｅ等の違いによって、必要な性能を満たすために必要なＯＳＮＲは異なる。伝送容量が高くなるほど、所要ＯＳＮＲは高くなり、必要な光パワーも増大する。よって、伝送容量が高くなるほど、非線形光学効果に対する影響が大きくなり、伝送特性は劣化し長距離伝送が難しくなる。非線形光学効果とは、非線形光学媒質に強い光が入射した際に生じる、光の強度に依存して変わる位相変化(屈折率変化)のことをいう。
【００２９】
またマルチコア光ファイバ２００１では、複数のコアのそれぞれの性能差にもばらつきが生じると考えられる。これは、マルチコア光ファイバ２００１の製造上によるばらつき、一括変調用として用いる光アンプのコア間利得及びＮＦ(Noise  Figure)のばらつき、光合波器１０２０，１１２０における損失のばらつき、光分波器３０２０，３１２０における損失のばらつき等がある。
【００３０】
また、マルチコア光ファイバ２００１では、上記の種々のばらつきの他にも、コア間で生じるクロストークが、伝送特性を制限する要因となる。例えば、マルチコア光ファイバ２００１を伝播する信号光は、第２のコア２２００を伝播する信号光から強い干渉を受ける。この干渉は、第２のコア２２００を伝播する信号光の光パワー及びマルチコア光ファイバ２００１特有のコア間クロストークに依存する。
【００３１】
本実施の形態に係る光伝送システム１００では、１チャネル当たりの伝送容量は高いが伝送特性の悪い信号と、伝送容量は低いが伝送特性が優れる信号とを混在させる。すなわち隣接するコア間で生じるクロストークの影響を抑制するため、光伝送システム１００は、隣接するコア間において同一波長に配置する信号光の種類を変えることで必要な光パワーを調整する。
【００３２】
具体的に説明すると、図２に示すように、周波数「ｆ１」の「変調信号１」と周波数「ｆ１」の「変調信号３」とは、異なる種類の信号であるため、それぞれが異なる光パワーで生成される。図２では、周波数「ｆ１」の「変調信号１」の光パワーは、周波数「ｆ１」の「変調信号３」の光パワーよりも高い値とされる。
【００３３】
周波数「ｆ２」の「変調信号２」と周波数「ｆ２」の「変調信号１」とは、異なる種類の信号であり、さらにそれぞれが異なる光パワーで生成される。図２では、周波数「ｆ２」の「変調信号２」の光パワーは、周波数「ｆ２」の「変調信号１」の光パワーよりも高い値とされる。
【００３４】
周波数「ｆ３」の「変調信号３」と周波数「ｆ３」の「変調信号２」とは、異なる種類の信号であり、さらにそれぞれが異なる光パワーで生成される。図２では、周波数「ｆ３」の「変調信号３」の光パワーは、周波数「ｆ３」の「変調信号２」の光パワーよりも低い値とされる。
【００３５】
周波数「ｆ４」の「変調信号１」と周波数「ｆ４」の「変調信号３」とは、異なる種類の信号であり、さらにそれぞれが異なる光パワーで生成される。図２では、周波数「ｆ４」の「変調信号１」の光パワーは、周波数「ｆ４」の「変調信号３」の光パワーよりも高い値とされる。
【００３６】
周波数「ｆ５」の「変調信号２」と周波数「ｆ５」の「変調信号１」とは、異なる種類の信号であり、さらにそれぞれが異なる光パワーで生成される。図２では、周波数「ｆ５」の「変調信号２」の光パワーは、周波数「ｆ５」の「変調信号１」の光パワーよりも高い値とされる。
【００３７】
「コア１」に伝送される各変調信号は、周波数「ｆ２」及び「ｆ５」の「変調信号２」の光パワーが、周波数「ｆ１」及び「ｆ４」の「変調信号１」の光パワーよりも高い値であり、周波数「ｆ１」及び「ｆ４」の「変調信号１」の光パワーが、周波数「ｆ３」の「変調信号３」の光パワーよりも高い値である。「コア２」に伝送される各変調信号は、周波数「ｆ２」の「変調信号２」の光パワーが、周波数「ｆ２」及び「ｆ５」の「変調信号１」の光パワーよりも高い値であり、周波数「ｆ２」及び「ｆ５」の「変調信号１」の光パワーが、周波数「ｆ１」及び「ｆ４」の「変調信号３」の光パワーよりも高い値である。
【００３８】
なお本実施の形態では、隣接する２つのコアに対して、同一波長に対して異なる種類の変調信号が異なる光パワーで出力される構成とされていればよく、「コア１」及び「コア２」のそれぞれに伝送される各変調信号の強度の大小関係は図示例に限定されるものではない。
【００３９】
以上に説明したように実施の形態１に係る光伝送システム１００では、隣接する２つのコアに対して、同一波長に対して異なる種類の変調信号が異なる光パワーで出力される。この構成により、帯域を有効に利用にすることができ良好な信号特性を実現することができる。
【００４０】
実施の形態２．
図３は本発明の実施の形態２に係る光伝送システムの構成図である。図３に示すように実施の形態２に係る光伝送システム１００Ａは、マルチコア光ファイバ２００１Ａ及び不図示の光中継器等から構成される光伝送部２０００Ａと、複数の光送信装置１１００Ａ，１２００Ａ，１３００Ａ，１４００Ａ，１５００Ａ，１６００Ａと、複数の光受信装置３１００Ａ，３２００Ａ，３３００Ａ，３４００Ａ，３５００Ａ，３６００Ａとを備える。
【００４１】
マルチコア光ファイバ２００１Ａは、第１のコア２１１０Ａと、第２のコア２１２０Ａと、第３のコア２１３０Ａと、第４のコア２１４０Ａと、第５のコア２１５０Ａと、第６のコア２１６０Ａと、第７のコア２１００Ａと、第１から第７のコアの外周部に形成されるクラッド２３００Ａとを備える。第１から第７のコアは石英系ガラスで構成され、クラッド２３００Ａの屈折率は、第１から第７のコアのそれぞれの屈折率よりも低い。マルチコア光ファイバ２００１Ａは、第１から第７のコアのそれぞれとクラッド２３００Ａとの相互間に空孔構造が無い中実構造であり、所謂ソリッド型のマルチコア光ファイバである。第１から第６のコアは、周方向に第１から第６のコアの順で互いに離れて配列される。第７のコア２１００Ａは、環状に配列される第１から第６のコアの中心に設けられている。なお、マルチコア光ファイバ２００１Ａのコア数は７つを想定しているが、コア数は７つに限定されず２つ以上であればよい。またマルチコア光ファイバ２００１Ａの中心部に設けられる第７のコア２１００Ａは信号光を伝送していないが、第７のコア２１００Ａには何らかの信号光を伝送させてもよい。
【００４２】
光送信装置１２００Ａは、奇数Ｃｈに割り当てられるＱＰＳＫ(Quadrature  Phase  Shift  Keying)信号を生成する複数の光送信器１２１０Ａ，１２１２Ａ，１２１４Ａと、偶数Ｃｈに割り当てられるＱＡＭ（Quadrature  Amplitude  Modulation）信号を生成する複数の光送信器１２１１Ａ，１２１３Ａと、これらの光送信器のそれぞれで生成された信号光を合波して出力する光合波器１２２０Ａとを備える。なお光送信装置１２００Ａが備える光送信器の数は５つに限定されず、２つ以上であればよい。光送信装置１４００Ａ，１６００Ａは、光送信装置１２００Ａと同様に構成されている。図中の「TX」はTransmitterを表す。
【００４３】
光送信器１２１０Ａで生成される第１の変調信号であるＱＰＳＫ信号には、第１のチャネルを示す番号「Ｃｈ１」が割り当てられる。光送信器１２１１Ａで生成される第２の変調信号２であるＱＡＭ信号には、第２のチャネルを示す番号「Ｃｈ２」が割り当てられる。光送信器１２１２Ａで生成される第１の変調信号であるＱＰＳＫ信号には、第３のチャネルを示す番号「Ｃｈ３」が割り当てられる。光送信器１２１３Ａで生成される第２の変調信号２であるＱＡＭ信号には、第４のチャネルを示す番号「Ｃｈ４」が割り当てられる。光送信器１２１４Ａで生成される第１の変調信号であるＱＰＳＫ信号には、第５のチャネルを示す番号「Ｃｈ５」が割り当てられる。光送信装置１２００Ａの光合波器１２２０Ａは、複数の光送信器のそれぞれから出力される波長の異なる信号光を波長多重化して第２のコア２１２０Ａへ出力する。
【００４４】
光送信装置１４００Ａは、多重化した信号光を第４のコア２１４０Ａへ出力する。光送信装置１６００Ａは、多重化した信号光を第６のコア２１６０Ａへ出力する。
【００４５】
光送信装置１１００Ａは、奇数Ｃｈに割り当てられるＱＰＳＫ信号を生成する複数の光送信器１１１１Ａ，１１１３Ａと、偶数Ｃｈに割り当てられるＱＡＭ信号を生成する複数の光送信器１１１０Ａ，１１１２Ａ，１１１４Ａと、これらの光送信器のそれぞれで生成された信号光を合波して出力する光合波器１１２０Ａとを備える。なお光送信装置１１００Ａが備える光送信器の数は５つに限定されず、２つ以上であればよい。
【００４６】
光送信器１１１０Ａで生成される第２の変調信号２であるＱＡＭ信号には、第１のチャネルを示す番号「Ｃｈ１」が割り当てられる。光送信器１１１１Ａで生成される第１の変調信号であるＱＰＳＫ信号には、第２のチャネルを示す番号「Ｃｈ２」が割り当てられる。光送信器１１１２Ａで生成される第２の変調信号２であるＱＡＭ信号には、第３のチャネルを示す番号「Ｃｈ３」が割り当てられる。光送信器１１１３Ａで生成される第１の変調信号であるＱＰＳＫ信号には、第４のチャネルを示す番号「Ｃｈ４」が割り当てられる。光送信器１１１４Ａで生成される第２の変調信号であるＱＡＭ信号には、第５のチャネルを示す番号「Ｃｈ５」が割り当てられる。光送信装置１１００Ａの光合波器１１２０Ａは、複数の光送信器のそれぞれから出力される波長の異なる信号光を波長多重化して第１のコア２１１０Ａへ出力する。
【００４７】
光送信装置１３００Ａ及び光送信装置１５００Ａは、光送信装置１１００Ａと同様に構成されている。光送信装置１３００Ａは、多重化した信号光を第３のコア２１３０Ａへ出力する。光送信装置１５００Ａは、多重化した信号光を第５のコア２１５０Ａへ出力する。
【００４８】
光受信装置３２００Ａは、光送信装置１２００Ａの光合波器１２２０Ａで多重化された信号光を分波する光分波器３２２０Ａと、分波された信号光から第１のチャネル「Ｃｈ１」のＱＰＳＫ信号を復調する光受信器３２１０Ａと、分波された信号光から第２のチャネル「Ｃｈ２」のＱＡＭ信号を復調する光受信器３２１１Ａと、分波された信号光から第３のチャネル「Ｃｈ３」のＱＰＳＫ信号を復調する光受信器３２１２Ａと、分波された信号光から第４のチャネル「Ｃｈ４」のＱＡＭ信号を復調する光受信器３２１３Ａと、分波された信号光から第５のチャネル「Ｃｈ５」のＱＰＳＫ信号を復調する光受信器３２１４Ａとを備える。なお光受信装置３２００Ａが備える光受信器の数は、光送信装置１２００Ａが備える光送信器の数と同数であればよい。図中の「RX」はReceiverを表す。
【００４９】
光受信装置３４００Ａ及び光受信装置３６００Ａは、光受信装置３２００Ａと同様に構成されている。光受信装置３４００Ａは、光送信装置１４００Ａで多重化された信号光を分波する光分波器と、分波された信号光から第１から第５のチャネルまでのＱＰＳＫ信号，ＱＡＭ信号を復調する複数の光受信器とを備える。光受信装置３６００Ａは、光送信装置１６００Ａで多重化された信号光を分波する光分波器と、分波された信号光から第１から第５のチャネルまでのＱＰＳＫ信号，ＱＡＭ信号を復調する複数の光受信器とを備える。
【００５０】
光受信装置３１００Ａは、光送信装置１１００Ａの光合波器１１２０Ａで多重化された信号光を分波する光分波器３１２０Ａと、分波された信号光から第１のチャネル「Ｃｈ１」のＱＡＭ信号を復調する光受信器３１１０Ａと、分波された信号光から第２のチャネル「Ｃｈ２」のＱＰＳＫ信号を復調する光受信器３１１１Ａと、分波された信号光から第３のチャネル「Ｃｈ３」のＱＡＭ信号を復調する光受信器３１１２Ａと、分波された信号光から第４のチャネル「Ｃｈ４」のＱＰＳＫ信号を復調する光受信器３１１３Ａと、分波された信号光から第５のチャネル「Ｃｈ５」のＱＡＭ信号を復調する光受信器３１１４Ａとを備える。なお光受信装置３１００Ａが備える光受信器の数は、光送信装置１１００Ａが備える光送信器の数と同数であればよい。
【００５１】
光受信装置３３００Ａ及び光受信装置３５００Ａは、光受信装置３１００Ａと同様に構成されている。光受信装置３３００Ａは、光送信装置１３００Ａで多重化された信号光を分波する光分波器と、分波された信号光から第１から第５のチャネルまでのＱＰＳＫ信号，ＱＡＭ信号を復調する複数の光受信器とを備える。光受信装置３５００Ａは、光送信装置１５００Ａで多重化された信号光を分波する光分波器と、分波された信号光から第１から第５のチャネルまでのＱＰＳＫ信号，ＱＡＭ信号を復調する複数の光受信器とを備える。
【００５２】
次に実施の形態２に係る光伝送システム１００Ａの動作について説明する。図４は実施の形態２に係る光伝送システムが備えるマルチコア光ファイバ内の複数のコアに伝送される信号光のスペクトルの一例を示す図である。図４の縦軸は、複数のコアのそれぞれに伝送される信号の光パワーを表す。図４の横軸は、複数のコアのそれぞれに伝送される信号の周波数すなわち波長を表す。図４では、第１から第６のコア２１１０Ａ，２１２０Ａ，２１３０Ａ，２１４０Ａ，２１５０Ａ，２１６０Ａのそれぞれに伝送されるＱＡＭ信号及びＱＰＳＫ信号の光パワーと周波数とが示される。
【００５３】
ここで、マルチコア光ファイバ２００１Ａの周方向に配列された複数のコアのそれぞれの周方向の離間距離について説明すると、図３より、周方向に隣接する第１のコア２１１０Ａと第２のコア２１２０Ａとの第１の周方向距離と、周方向に隣接する第２のコア２１２０Ａと第３のコア２１３０Ａとの第２の周方向距離とが等しい。一方、上記第１の周方向距離は、周方向に配列された複数のコアの内、隣接していない２つのコア同士の第３の周方向距離よりも短い。同様に、上記第２の周方向距離は、上記第３の周方向距離よりも短い。
【００５４】
このように図３に示すマルチコア光ファイバ２００１Ａでは、周方向に配列された複数のコアの内、周方向に隣接する２つのコア同士の周方向距離は、周方向に配列された複数のコアの内、隣接していない２つのコア同士の周方向距離よりも短いことが分かる。実施の形態２では、周方向に隣接する２つのコア同士、すなわち互いの距離が最も近い隣接する２つのコアに対して、同一波長に対して異なる種類の変調信号が異なる光パワーで出力伝送される。具体的には、周方向に隣接する第２のコア２１２０Ａ及び第３のコア２１３０Ａには、同一波長において異なる種類の変調信号が異なる光パワーで伝送される。また、周方向に隣接する第２のコア２１２０Ａ及び第１のコア２１１０Ａには、同一波長において異なる種類の変調信号が異なる光パワーで伝送される。
【００５５】
ＱＡＭ信号の信号点の数は、多値度に応じて８、１６、３２、６４等が存在し、ＱＰＳＫ信号と比較して必要な性能を満たすのに必要なＯＳＮＲが高く、クロストークに対する耐力も小さい。そのため、ＱＡＭ信号はＱＰＳＫ信号よりも高い光パワーで伝送させる必要がある。
【００５６】
実施の形態２では、ＱＡＭ信号の隣接するコア間で同一波長に配置した信号光及び同一コアで隣接して配置した信号光の種類をＱＰＳＫ信号とすることで、隣接信号の光パワーは相対的に小さくなる。そのため、クロストークによる劣化を抑制することができ、良好な伝送特性にて伝送することが可能となる。
【００５７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５８】
１００，１００Ａ  光伝送システム、１０００，１１００，１１００Ａ，１２００Ａ，１３００Ａ，１４００Ａ，１５００Ａ，１６００Ａ  光送信装置、１０１０，１０１３，１１１１，１１１４  第１の光送信器、１０１１，１０１４，１１１２  第２の光送信器、１０１２，１１１０，１１１３  第３の光送信器、１０２０，１１２０，１１２０Ａ，１２２０Ａ  光合波器、１１１０Ａ，１１１１Ａ，１１１２Ａ，１１１３Ａ，１１１４Ａ，１２１０Ａ，１２１１Ａ，１２１２Ａ，１２１３Ａ，１２１４Ａ  光送信器、２０００，２０００Ａ  光伝送部、２００１，２００１Ａ  マルチコア光ファイバ、２１００，２１１０Ａ  第１のコア、２１００Ａ  第７のコア、２１２０Ａ，２２００  第２のコア、２１３０Ａ  第３のコア、２１４０Ａ  第４のコア、２１５０Ａ  第５のコア、２１６０Ａ  第６のコア、２３００，２３００Ａ  クラッド、３０００，３１００，３１００Ａ，３２００Ａ，３３００Ａ，３４００Ａ，３５００Ａ，３６００Ａ  光受信装置、３０１０，３０１３，３１１１，３１１４  第１の光受信器、３０１１，３０１４，３１１２  第２の光受信器、３０１２，３１１０，３１１３  第３の光受信器、３０２０，３１２０，３１２０Ａ，３２２０Ａ  光分波器、３１１０Ａ，３１１１Ａ，３１１２Ａ，３１１３Ａ，３１１４Ａ，３２１０Ａ，３２１１Ａ，３２１２Ａ，３２１３Ａ，３２１４Ａ  光受信器。
【図１】
0006563154.tif 000002
【図２】
0006563154.tif 000003
【図３】
0006563154.tif 000004
【図４】
0006563154.tif 000005